(57)【要約】【課題】形状やサイズの異なる各種の眼鏡にも隙間が生ずることなく装着することができ、しかも製造コストが高くなることのない眼鏡用防塵カバーを提供する。【解決手段】伸縮自在とした軟質材料からなり、眼鏡Ｇの左右一対のレンズＬの少なくとも一方のレンズＬの後方に着脱自在として取り付けられる筒状のカバー体１としており、このカバー体１の前端内周には、前記眼鏡ＧのレンズＬ又はレンズ枠Ｆに嵌め込む溝２が設けられており、この溝２が長さ方向又は幅方向に伸縮して、前記レンズＬ又はレンズ枠Ｆに嵌め込まれるようにしている。【選択図】図１
2013080063.tif 000002
【特許請求の範囲】
【請求項１】
伸縮自在とした軟質材料からなり、眼鏡（Ｇ）の左右一対のレンズ（Ｌ）の少なくとも一方のレンズ（Ｌ）の後方に着脱自在として取り付けられる筒状のカバー体（１）としており、このカバー体（１）の前端内周には、前記眼鏡（Ｇ）のレンズ（Ｌ）又はレンズ枠（Ｆ）に嵌め込む溝（２）が設けられており、この溝（２）が長さ方向又は幅方向に伸縮して、前記レンズ（Ｌ）又はレンズ枠（Ｆ）に嵌め込まれるようにしていることを特徴とする眼鏡用防塵カバー。
【請求項２】
前記カバー体（１）の溝（２）は、レンズ（Ｌ）又はレンズ枠（Ｆ）の外端側を嵌め込む溝幅（ｗａ）を、レンズ（Ｌ）又はレンズ枠（Ｆ）の中央付近を嵌め込む溝幅（ｗｂ）より広くしており、前記中央付近から外端側にかけて徐々に広くしていることを特徴とする請求項１記載の眼鏡用防塵カバー。
【請求項３】
前記カバー体（１）は、前端部（１ａ）から後端部（１ｂ）にかけて徐々に拡開させることにより、カバー体（１）の上面部１ｃを上方に傾斜させると共に、カバー体（１）の下面部（１ｄ）を下方に傾斜させていることを特徴とする請求項１又は２記載の眼鏡用防塵カバー。
【請求項４】
前記カバー体（１）の溝（２）に、眼鏡（Ｇ）のブリッジ（Ｂ）を避ける途切れ部（２ａ）を設けると共に、眼鏡（Ｇ）のテンプル（Ｔ）を避ける途切れ部（２ｂ）を設けていることを特徴とする請求項１から３の何れかに記載の眼鏡用防塵カバー。
【請求項５】
前記カバー体（１）の前端部（１ａ）に、眼鏡（Ｇ）のテンプル（Ｔ）を通す孔（３）を設けていることを特徴とする請求項１から４の何れかに記載の眼鏡用防塵カバー。
【請求項６】
前記カバー体（１）の溝（２）のレンズ（Ｌ）又はレンズ枠（Ｆ）の中央付近を嵌め込む溝幅（ｗｂ）と、前記レンズ（Ｌ）又はレンズ枠（Ｆ）の外端側を嵌め込む溝幅（ｗａ）の比が、１：１．２〜２．２であることを特徴とする請求項２記載の眼鏡用防塵カバー。
【請求項７】
前記カバー体（１）の上面部（１ｃ）の上方への傾斜角（α）を２３±５度にし、カバー体（１）の下面部（１ｄ）の下方への傾斜角βを１８±５度にしていることを特徴とする請求項３記載の眼鏡用防塵カバー。
【発明の詳細な説明】
【技術分野】
【０００１】
この発明は、花粉、粉塵、風、雨、その他の飛来物などから眼を保護するための眼鏡用防塵カバーに関するものである。
【背景技術】
【０００２】
従来、この種の眼鏡用防塵カバーとしては、図１４に示したように、眼鏡の左右一対のレンズの後方にそれぞれ取り付けられるようにしたものが存在しており、筒状のカバー体１１を連結バー１２で連結し、それぞれのカバー体１１の外端部にフック１３を取り付けたものとし、これらフック１３を眼鏡のテンプルに引っ掛けるようにしている（特許文献１）。
【０００３】
このように構成した従来の眼鏡用防塵カバーは、眼鏡と顔との間から眼に侵入する花粉を防止できるので、花粉による眼のかゆみなどが軽減でき、また眼鏡を着用した状態で装着できるので、外出するときや自動車を運転するときなどに有効であるとしている。
【０００４】
さらに、この種の眼鏡用防塵カバーとしては、図１５〜１７に示したように、レンズＬが嵌め込まれた眼鏡フレームＦに着脱可能に取り付けられ、前記レンズＬの周縁に沿った筒状の防塵カバー２１を備え、この防塵カバー２１の少なくとも一部は、通気性を有する通気部２２となっているものが存在する。この眼鏡用防塵カバーは、眼鏡フレームＦに着脱可能に取り付けるために、眼鏡フレームＦのリムの裏面に着脱可能に取り付けられる枠体２３を備え、この枠体２３は、前記筒状の防塵カバー２１の一端と接着されており、前記眼鏡フレームＦのリムの裏面には係合穴２４を設け、前記枠体２３に、前記係合穴２４に着脱可能に嵌め込まれる係合突起２５を設けたものとしている（特許文献２）。
【０００５】
このように構成した従来の眼鏡用防塵カバーは、利用者の眼の周囲をしっかりと閉鎖しつつ、レンズの曇りを確実に防止することで、利用者の視界を良好に保つことができ、また必要に応じて防塵具を着脱することで花粉や粉塵を防ぐ機能が得られるので、高い利便性を実現できるとしている。
【先行技術文献】
【特許文献】
【０００６】
【特許文献１】特開平９−１４６０５４号公報
【特許文献２】実用新案登録第３０９２４８９号公報
【発明の概要】
【発明が解決しようとする課題】
【０００７】
上記特許文献１に示された従来の眼鏡用防塵カバーは、フックを眼鏡のテンプルに引っ掛けるだけでよいので、形状やサイズの異なる眼鏡にも装着することができる。しかし、この眼鏡用防塵カバーは、形状やサイズの異なる眼鏡の何れのレンズ又はレンズ枠の周囲にカバー体の前端周囲がぴったりと合うとはかぎらず、しかもレンズ又はレンズ枠の周囲にカバー体の前端周囲を押し当てているだけであるので、レンズ又はレンズ枠とカバー体との間に隙間が生じやすく、眼鏡と顔との間から眼に侵入する花粉などを確実に防止することができないという問題点を有していた。
【０００８】
さらに、上記特許文献２に示された従来の眼鏡用防塵カバーは、眼鏡フレームのリムの裏面に設けた係合穴に、筒状の防塵カバーの一端と接着された枠体に設けた係合突起を嵌め込むことにより眼鏡に装着されるので、レンズ又はレンズ枠と防塵カバーとの間に隙間が生じにくく、花粉などの侵入は確実に防止することができる。しかし、この眼鏡用防塵カバーは、眼鏡に装着するために枠体という別部材を必要とし、この枠体に係合突起を設け、眼鏡フレームのリムの裏面にも前記係合突起に対応する係合穴を設けなくてはならないので、製造に手間がかかり製造コストが高くなるという問題点を有していた。
【０００９】
そこで、この発明は、上記従来の問題点を解決することをその課題としており、形状やサイズの異なる各種の眼鏡にも隙間が生ずることなく装着することができ、しかも製造コストが高くなることのない眼鏡用防塵カバーを提供することを目的としてなされたものである。
【課題を解決するための手段】
【００１０】
この発明の眼鏡用防塵カバーは、伸縮自在とした軟質材料からなり、眼鏡Ｇの左右一対のレンズＬの少なくとも一方のレンズＬの後方に着脱自在として取り付けられる筒状のカバー体１としており、このカバー体１の前端内周には、前記眼鏡ＧのレンズＬ又はレンズ枠Ｆに嵌め込む溝２が設けられており、この溝２が長さ方向又は幅方向に伸縮して、前記レンズＬ又はレンズ枠Ｆに嵌め込まれるようにしている。
【００１１】
この発明の眼鏡用防塵カバーにおいて、前記カバー体１の溝２は、レンズＬ又はレンズ枠Ｆの外端側を嵌め込む溝幅ｗａを、レンズＬ又はレンズ枠Ｆの中央付近を嵌め込む溝幅ｗｂより広くしており、前記中央付近から外端側にかけて徐々に広くしている。
【００１２】
この発明の眼鏡用防塵カバーにおいて、前記カバー体１は、前端部１ａから後端部１ｂにかけて徐々に拡開させることにより、カバー体１の上面部１ｃを上方に傾斜させると共に、カバー体１の下面部１ｄを下方に傾斜させている。
【００１３】
この発明の眼鏡用防塵カバーにおいて、前記カバー体１の溝２に、眼鏡ＧのブリッジＢを避ける途切れ部２ａを設けると共に、眼鏡ＧのテンプルＴを避ける途切れ部２ｂを設けている。
【００１４】
この発明の眼鏡用防塵カバーにおいて、前記カバー体１の前端部１ａに、眼鏡ＧのテンプルＴを通す孔３を設けている。
【００１５】
この発明の眼鏡用防塵カバーにおいて、前記カバー体１の溝２のレンズＬ又はレンズ枠Ｆの中央付近を嵌め込む溝幅ｗｂと、前記レンズＬ又はレンズ枠Ｆの外端側を嵌め込む溝幅ｗａの比が、１：１．２〜２．２であるものとしている。
【００１６】
この発明の眼鏡用防塵カバーにおいて、前記カバー体１の上面部１ｃの上方への傾斜角αを２３±５度にし、カバー体１の下面部１ｄの下方への傾斜角βを１８±５度にしている。
【発明の効果】
【００１７】
この発明の眼鏡用防塵カバーは、以上に述べたように構成されているので、形状やサイズの異なる各種の眼鏡にも隙間が生ずることなく装着することができ、しかも製造コストが高くなることのないものとなった。
【図面の簡単な説明】
【００１８】
【図１】この発明の眼鏡用防塵カバーの一実施形態を示す斜視図である。
【図２】この発明の眼鏡用防塵カバーの左右一対のカバー体の一方を示す正面図である。
【図３】図２に示すカバー体の背面図である。
【図４】図２のＡ−Ａ線によるカバー体の断面図である。
【図５】図３のＢ−Ｂ線によるカバー体の断面図である。
【図６】図２のＣ−Ｃ線によるカバー体の断面図である。
【図７】図３のＤ−Ｄ線によるカバー体の断面図である。
【図８】この発明の眼鏡用防塵カバーを金属枠の眼鏡に装着しようとしている状態を示す説明図である。
【図９】この発明の眼鏡用防塵カバーを枠無しの眼鏡に装着しようとしている状態を示す説明図である。
【図１０】この発明の眼鏡用防塵カバーを合成樹脂枠の眼鏡に装着しようとしている状態を示す説明図である。
【図１１】図８の状態からこの発明の眼鏡用防塵カバーを金属枠の眼鏡に装着し終わった状態を示す説明図である。
【図１２】図９の状態からこの発明の眼鏡用防塵カバーを枠無しの眼鏡に装着し終わった状態を示す説明図である。
【図１３】図１０の状態からこの発明の眼鏡用防塵カバーを合成樹脂枠の眼鏡に装着し終わった状態を示す説明図である。
【図１４】従来の眼鏡用防塵カバーの一例を示す斜視図である。
【図１５】従来の眼鏡用防塵カバーの他の例を眼鏡に装着した状態を示す斜視図である。
【図１６】図１５に示す従来の眼鏡用防塵カバーの左右一対のカバー体の一方の斜視図である。
【図１７】図１５に示す従来の眼鏡用防塵カバーを装着する眼鏡のリムの裏面側の要部拡大図である。
【発明を実施するための形態】
【００１９】
以下、この発明の眼鏡用防塵カバーを実施するための形態を、図面に基づいて詳細に説明する。
【００２０】
この発明の眼鏡用防塵カバーは、眼鏡Ｇの左右一対のレンズＬの少なくとも一方のレンズＬの後方に着脱自在として取り付けられる筒状のカバー体１としている。このカバー体１の前端内周には、前記眼鏡ＧのレンズＬ又はレンズ枠Ｆに嵌め込む溝２が設けられている。この溝２は、長さ方向又は幅方向に伸縮して、前記レンズＬ又はレンズ枠Ｆに嵌め込まれるようにしている。前記カバー体１は、右レンズ用と左レンズ用を個別としたり、右レンズ用と左レンズ用を結合して一対とすることができるが、着脱の容易さの点で右レンズ用と左レンズ用に分けたほうが好ましい。
【００２１】
前記カバー体１は、シリコンゴム、ポリエチレン系やポリスチレン系のエラストマーなどの伸縮自在とした軟質材料からなり、射出成形やキャスト成形などによって一体に成形される。そして、このカバー体１は、レンズ枠付きの一般の眼鏡や、レンズ枠の無いリムレス眼鏡に取り付けることができ、伸縮自在としているため、形状やサイズの異なる眼鏡に取り付けることができる。前記カバー体１をシリコンゴムからなるものとした場合には、伸び率や収縮力の高いものとなり、伸ばされたシリコンゴムが元に戻る力をテンションとしてレンズＬ又はレンズ枠Ｆへの保持固定が確実なものとなる。さらに、前記カバー体１は、使用目的に応じて透明、半透明または不透明にすることができる。前記カバー体１は、透明にすると着用者の視界が妨げられにくくなり使用性に優れたものとなる。また、前記カバー体１は、眼鏡のフレーム色に合わせて着色することでファッション性に優れたものとなる。さらに、前記カバー体１は、１ｍｍ程度の薄肉にしているため、非常に軽いものとなっている。
【００２２】
前記カバー体１の溝２は、様々なタイプのレンズＬ又はレンズ枠Ｆの厚さに適用するように成形可能であり、例えば、レンズＬ又はレンズ枠Ｆの外端側に位置する溝幅ｗａを２．４ｍｍ〜１０ｍｍ、レンズＬ又はレンズ枠Ｆの中央付近に位置する溝幅ｗｂを２．０ｍｍ〜５．０ｍｍ、レンズＬ又はレンズ枠Ｆの内端側に位置する溝幅ｗｃを２．２ｍｍ〜７．０ｍｍとすることで様々なタイプのレンズＬ又はレンズ枠Ｆに嵌め込むことができる。また、レンズＬ又はレンズ枠Ｆの外端側を嵌め込む溝幅ｗａを、レンズＬ又はレンズ枠Ｆの中央付近を嵌め込む溝幅ｗｂより広くしており、前記中央付近から外端側にかけて徐々に広くしている。このカバー体１の溝２は、レンズＬ又はレンズ枠Ｆの中央付近を嵌め込む溝幅ｗｂと、前記レンズＬ又はレンズ枠Ｆの外端側を嵌め込む溝幅ｗａの比が、１：１．２〜２．２であるものとしており、金属枠又は枠無しの眼鏡の場合には、前記溝幅ｗｂと溝幅ｗａの比が、約１：１．６、合成樹脂枠の眼鏡の場合には、前記溝幅ｗｂと溝幅ｗａの比が、約１：１．７５であるものとするのが好ましい。このようにすることにより、後に述べるように、カバー体１の溝２にレンズＬ又はレンズ枠Ｆが嵌め込み易いものとなる。特に、度数の高いレンズの場合に、コバ厚（周辺厚）が大きくなるが、このような度数の高いレンズでもスムーズに嵌め込むことができる。なお、前記カバー体１の溝２のレンズＬ又はレンズ枠Ｆの内端側を嵌め込む溝幅ｗｃは、溝幅ｗａと同様の理由で、レンズＬ又はレンズ枠Ｆの中央付近を嵌め込む溝幅ｗｂとほぼ同じにするか、少し広くしている。
【００２３】
さらに、前記カバー体１は、前端部１ａの周長より後端部１ｂの周長を長くし、眼鏡Ｇに取り付けていない状態において、前端部１ａから後端部１ｂにかけて徐々に拡開させることにより、カバー体１の上面部１ｃを上方に傾斜させると共に、カバー体１の下面部１ｄを下方に傾斜させている。このカバー体の上面部１ｃの上方への傾斜角αを２３±５度にし、カバー体１の下面部１ｄの下方への傾斜角βを１８±５度にしている（なお、この場合のレンズＬ又はレンズ枠Ｆの励起角γは１０度にしている）。このようにしたのは、前端部１ａの周長と後端部１ｂの周長を同じにすると、前記カバー体１を眼鏡Ｇに取り付けたときに、前端部１ａが伸びると逆に後端部１ｂが窄まることがあり、着用者の視界の妨げとなるためである。そして、前記カバー体１の後端部１ｂは、着用者の顔に合わせた形状となっており、カバー体１と着用者の顔との隙間を極力減らし、花粉や粉塵などの侵入を防いでいる。着用者の顔によっては隙間が生じる可能性も考えられるが、前記カバー体１を低硬度（シェア４５度相当）のシリコンゴムなどにすれば、後端部１ｂをハサミで切るなどして着用者の顔に合わせたものに調節することができる。
【００２４】
また、前記カバー体１の溝２には、眼鏡ＧのブリッジＢが干渉しないように、レンズＬ又はレンズ枠Ｆの内端を嵌め込む側に前記ブリッジＢを避ける途切れ部２ａを設けると共に、眼鏡ＧのテンプルＴが干渉しないように、レンズＬ又はレンズ枠Ｆの外端を嵌め込む側に前記テンプルＴを避ける途切れ部２ｂを設けることが好ましい。さらに、前記カバー体１の前端部１ａには、眼鏡ＧのテンプルＴを通す孔３を設けることが好ましい。この孔３は、眼鏡ＧのテンプルＴを通すことで、前記カバー体１の取り付け時の位置ずれを防いでおり、幅や厚みのことなる各種のテンプルＴに対応できるように、縦長のスリット状に形成している。また、前記カバー体１の溝２の内壁４は外壁５より厚くして強度性を高め、嵌め込まれたレンズＬ又はレンズ枠Ｆが内壁４側に外れないようにし、レンズＬ又はレンズ枠Ｆの保持固定性をよくしている。
【００２５】
以上のように構成されたこの発明の眼鏡用防塵カバーは、図８〜１０に示したように、一方のカバー体１の孔３にこのカバー体１の内側から眼鏡Ｇの一方のテンプルＴを通し、カバー体１を眼鏡ＧのレンズＬ又はレンズ枠Ｆに近づけて行く。そして、前記カバー体１の溝２をレンズＬ又はレンズ枠Ｆの前方に移動させ、このカバー体１の前端部１ａを指で摘んで、これらレンズＬ又はレンズ枠Ｆをその外端側から内端側にかけてカバー体１の溝２に嵌め込んで行けばよい。
【００２６】
この場合、カバー体１の溝２は、レンズＬ又はレンズ枠Ｆの外端側を嵌め込む溝幅ｗａを、レンズＬ又はレンズ枠Ｆの中央付近を嵌め込む溝幅ｗｂより広くしており、この広くした側からレンズＬ又はレンズ枠Ｆを嵌め込んで行くことになるので、カバー体１の溝２にレンズＬ又はレンズ枠Ｆを嵌め込み易くなる。特に、コバ厚が大きい度数の高いレンズの場合や、図１０に示したようなレンズ枠Ｆが分厚い場合であっても、前記溝２の広くした側から嵌め込んで行けば、カバー体１の溝２にそのレンズＬ又はレンズ枠Ｆが嵌め込み難くなることはなく、スムーズに嵌め込むことができる。
【００２７】
そして、この発明の眼鏡用防塵カバーは、もう一方のカバー体１の孔３にも眼鏡Ｇの他方のテンプルＴを通し、同様にして、レンズＬ又はレンズ枠Ｆをカバー体１の溝２に嵌め込んで行くと、図１１〜１３に示したように、眼鏡Ｇに取り付けられることになる。
【００２８】
さらに、この発明の眼鏡用防塵カバーは、カバー体１を伸縮自在とした軟質材料からなるものとしたので、形状やサイズの異なる各種の眼鏡にも隙間が生ずることなく装着することができる。
【００２９】
また、この発明の眼鏡用防塵カバーは、眼鏡に装着するための別部材も不要であり、射出成形やキャスト成形などによって一体に成形されるので、製造コストも高くなることがない。
【符号の説明】
【００３０】
１  カバー体
１ａ  前端部
１ｂ  後端部
１ｃ  上面部
１ｄ  下面部
２  溝
２ａ  途切れ部
２ｂ  途切れ部
３  孔
Ｇ  眼鏡
Ｌ  レンズ
Ｆ  レンズ枠
Ｂ  ブリッジ
Ｔ  テンプル
ｗａ  溝幅
ｗｂ  溝幅
ｗｃ  溝幅
【図１】
2013080063.tif 000003
【図２】
2013080063.tif 000004
【図３】
2013080063.tif 000005
【図４】
2013080063.tif 000006
【図５】
2013080063.tif 000007
【図６】
2013080063.tif 000008
【図７】
2013080063.tif 000009
【図８】
2013080063.tif 000010
【図９】
2013080063.tif 000011
【図１０】
2013080063.tif 000012
【図１１】
2013080063.tif 000013
【図１２】
2013080063.tif 000014
【図１３】
2013080063.tif 000015
【図１４】
2013080063.tif 000016
【図１５】
2013080063.tif 000017
【図１６】
2013080063.tif 000018
【図１７】
2013080063.tif 000019